(57)【特許請求の範囲】
【請求項１】
シリンダヘッド（３）上に設けられるハウジング（９１  ，９２  ）と、機関弁（Ｖ１  ，Ｖ２  ）に連動、連結されるとともに前記ハウジング（９１  ，９２  ）内に移動可能に収納されるアーマチュア（１０）と、該アーマチュア（１０）を吸引して機関弁（Ｖ１  ，Ｖ２  ）を閉弁作動せしめる電磁力を発揮可能としてアーマチュア（１０）に対向する位置でハウジング（９１  ，９２  ）内に固定配置される閉弁用電磁石（１１）と、前記アーマチュア（１０）を吸引して機関弁（Ｖ１  ，Ｖ２  ）を開弁作動せしめる電磁力を発揮可能としてアーマチュア（１０）に対向する位置でハウジング（９１  ，９２  ）内に固定配置される開弁用電磁石（１２）と、機関弁（Ｖ１  ，Ｖ２  ）の閉弁および開弁方向に向けて前記アーマチュア（１０）をそれぞれ付勢する一対の戻しばね（１３，１４）とを備える内燃機関用機関弁の電磁駆動装置において、閉弁用および開弁用電磁石（１１，１２）とアーマチュア（１０）との対向面にオイルを導くことを可能としてハウジング（９１  ，９２  ）内にオイルを導入するオイル供給手段（４２１  ，４２２  ，４２３  ）を含み、ハウジング（９１  ，９２  ）には、供給されたオイルを排出する排出路（４４１  ，４４２  ，４４３  ）が設けられることを特徴とする内燃機関用機関弁の電磁駆動装置。
【請求項２】
閉弁用電磁石（１１）およびアーマチュア（１０）の対向面、ならびに開弁用電磁石（１２）およびアーマチュア（１０）の対向面には、相互に合致するオイル溜溝（４６，４７，４８，４９）がそれぞれ設けられることを特徴とする請求項１記載の内燃機関用機関弁の電磁駆動装置。
【請求項３】
アーマチュア（１０）と、該アーマチュア（１０）に対して固定位置となることを可能としてハウジング（９１  ）に配設される支持体（３３）またはハウジング（９２  ）との間には、機関弁（Ｖ１  ，Ｖ２  ）の閉弁作動時に少なくともその閉弁着座直前でダンパ機能を発揮する油圧ダンパ（５１１  ，５１２  ，５１３  ）が設けられることを特徴とする請求項１または２記載の内燃機関用機関弁の電磁駆動装置。
【請求項４】
前記排出路（４４１  ，４４２  ）は、シリンダヘッド（３）に設けられるガイド筒（５）と、該ガイド筒（５）内に摺動自在に嵌合される機関弁（Ｖ１  ，Ｖ２  ）のステム（２）との間に、オイルを供給し得る位置でハウジング（９１  ）に設けられることを特徴とする請求項１記載の内燃機関用機関弁の電磁駆動装置。
【発明の詳細な説明】
【０００１】
【産業上の利用分野】
本発明は、シリンダヘッド上に設けられるハウジングと、機関弁に連動、連結されるとともに前記ハウジング内に移動可能に収納されるアーマチュアと、前記アーマチュアを吸引して機関弁を閉弁作動せしめる電磁力を発揮可能としてアーマチュアに対向する位置でハウジング内に固定配置される閉弁用電磁石と、前記アーマチュアを吸引して機関弁を開弁作動せしめる電磁力を発揮可能としてアーマチュアに対向する位置でハウジング内に固定配置される開弁用電磁石と、機関弁の閉弁および開弁方向に向けて前記アーマチュアを付勢する一対の戻しばねとを備える内燃機関用機関弁の電磁駆動装置に関する。
【０００２】
【従来の技術】
従来、かかる装置は、たとえば特開昭６３−２７７８１０号公報および特開平３−４４００９号公報等により既に知られている。
【０００３】
【発明が解決しようとする課題】
上記特開昭６３−２７７８１０号公報で開示されたものでは、流体封入ダンパおよび皿ばね等により、閉弁用電磁石あるいは開弁用電磁石に吸引される際のアーマチュアの移動速度を減衰して電磁石へのアーマチュアの衝突を回避し、また特開昭６３−２７７８１０号公報で開示されたものでは、流体封入ダンパにより閉弁用電磁石あるいは開弁用電磁石へのアーマチュアの衝突を回避するようにしている。
【０００４】
しかるに機関弁の開閉作動時には閉弁用電磁石および開弁用電磁石は励磁および消磁を繰り返して発熱するものであり、閉弁用電磁石および開弁用電磁石を有効に冷却する必要があるが、上記従来のものには、そのような構成は開示されていない。
【０００５】
本発明は、かかる事情に鑑みてなされたものであり、閉弁用および開弁用電磁石へのアーマチュアの吸引時にそれらの電磁石にアーマチュアが直接衝突して衝撃音が発生したり、破損が生じることを防止するとともに、そのための構成により各電磁石の冷却および各部の摩耗防止を同時に達成し得るようにした内燃機関用機関弁の電磁駆動装置を提供することを目的とする。
【０００６】
【課題を解決するための手段】
上記目的を達成するために、請求項１記載の発明は、シリンダヘッド上に設けられるハウジングと、機関弁に連動、連結されるとともに前記ハウジング内に移動可能に収納されるアーマチュアと、該アーマチュアを吸引して機関弁を閉弁作動せしめる電磁力を発揮可能としてアーマチュアに対向する位置でハウジング内に固定配置される閉弁用電磁石と、前記アーマチュアを吸引して機関弁を開弁作動せしめる電磁力を発揮可能としてアーマチュアに対向する位置でハウジング内に固定配置される開弁用電磁石と、機関弁の閉弁および開弁方向に向けて前記アーマチュアをそれぞれ付勢する一対の戻しばねとを備える内燃機関用機関弁の電磁駆動装置において、閉弁用および開弁用電磁石とアーマチュアとの対向面にオイルを導くことを可能としてハウジング内にオイルを導入するオイル供給手段を含み、ハウジングには、供給されたオイルを排出する排出路が設けられることを特徴とする。
【０００７】
また請求項２記載の発明によれば、上記請求項１記載の発明の構成に加えて、閉弁用電磁石およびアーマチュアの対向面、ならびに開弁用電磁石およびアーマチュアの対向面には、相互に合致するオイル溜溝がそれぞれ設けられる。
【０００８】
請求項３記載の発明によれば、上記請求項１または２記載の発明の構成に加えて、アーマチュアと、該アーマチュアに対して固定位置となることを可能としてハウジングに配設される支持体またはハウジングとの間には、機関弁の閉弁作動時に少なくともその閉弁着座直前でダンパ機能を発揮する油圧ダンパが設けられる。
【０００９】
さらに請求項４記載の発明によれば、上記請求項１記載の発明の構成に加えて、前記排出路は、シリンダヘッドに設けられるガイド筒と、該ガイド筒内に摺動自在に嵌合される機関弁のステムとの間に、オイルを供給し得る位置でハウジングに設けられる。
【００１０】
【実施例】
以下、図面により本発明の実施例について説明する。
【００１１】
図１は本発明の第１実施例を示すものであり、吸気弁あるいは排気弁である機関弁Ｖ１  は、シリンダヘッド３に設けられた弁口４を開閉可能な弁体部１と、該弁体部１に一体に連設されるステム２とから成り、ステム２はシリンダヘッド３に固設されたガイド筒５内に摺動自在に嵌合される。シリンダヘッド３の上端には、ステム２の上端を臨ませる凹部６が設けられており、該凹部６内でステム２の上端には、二つ割りコッタ７によりリテーナ８が固定される。
【００１２】
このような機関弁Ｖ１  を開閉駆動する電磁駆動装置は、シリンダヘッド３上に設けられる非磁性材料製のハウジング９１  と、機関弁Ｖ１  に連動、連結されるとともにハウジング９１  内に移動可能に収納されるアーマチュア１０と、該アーマチュア１０を吸引して機関弁Ｖ１  を閉弁作動せしめる電磁力を発揮可能としてアーマチュア１０の上面に対向する位置でハウジング９１  内に固定配置される閉弁用電磁石１１と、前記アーマチュア１０を吸引して機関弁Ｖ１  を開弁作動せしめる電磁力を発揮可能としてアーマチュア１０の下面に対向する位置でハウジング９１  内に固定配置される開弁用電磁石１２と、機関弁Ｖ１  の閉弁方向に向けてアーマチュア１０を付勢する閉弁側戻しばね１３と、機関弁Ｖ１  の開弁方向に向けてアーマチュア１０を付勢する開弁側戻しばね１４とを備える。
【００１３】
ハウジング９１  には、機関弁Ｖ１  側の一端が端壁１５で閉じられた収納孔１６と、該収納孔１６よりも小径にして収納孔１６の他端に一端を連ならせた小径摺動孔１７と、小径摺動孔１７よりも大径にして小径摺動孔１７の他端に一端を連ならせるとともに他端が端壁１９で閉じられる大径摺動孔１８とが、同軸に設けられる。
【００１４】
端壁１５には、機関弁Ｖ１  のステム２と同軸にして円筒状のガイド部２０が一体に設けられており、該ガイド部２０を移動自在に貫通するロッド２１の一端が、機関弁Ｖ１  のステム２に同軸に当接される。しかもシリンダヘッド３の凹部６内で、該凹部６の底部およびリテーナ８間には、ステム２を囲繞するコイル状の連動ばね２２が縮設されており、該連動ばね２２は、機関弁Ｖ１  をロッド２１に連動させるだけの比較的弱いばね力を発揮するものである。一方、ハウジング９１  の収納孔１６内でロッド２１の中間部には、円盤状であるアーマチュア１０が一体に設けられる。すなわちアーマチュア１０は機関弁Ｖ１  に連動、連結されることになる。
【００１５】
閉弁用電磁石１１は、アーマチュア１０の上面に対向するようにして、収納孔１６および小径摺動孔１７間の段部２３側でハウジング９１  内に固定的に配設されるものであり、アーマチュア１０側に開放した環状の溝２４を有してロッド２１を同軸に囲繞するリング状の固定コア２５と、合成樹脂から成るモールド部２７で被覆されて前記溝２４内に嵌入されるリング状のコイル２６とから成る。また開弁用電磁石１２は、アーマチュア１０の下面に対向するようにして、端壁１５側でハウジング９１  内に固定的に配設されるものであり、アーマチュア１０側に開放した環状の溝２８を有してロッド２１を同軸に囲繞するリング状の固定コア２９と、合成樹脂から成るモールド部３１で被覆されて前記溝２８内に嵌入されるリング状のコイル３０とから成る。
【００１６】
ハウジング９１  の小径摺動孔１７および大径摺動孔１８には、端壁１９との間に油圧室３２を形成する支持体としてのピストン３３が摺動自在に嵌合されており、ピストン３３の外面には、大径摺動孔１８の内面に摺接するＯリング等の環状のシール部材３４が装着される。該ピストン３３には、収納孔１６側を開放した有底の案内孔３５が同軸に設けられており、ロッド２１の他端は該案内孔３５内に挿入される。
【００１７】
ハウジング９１  の端壁１９には、油圧室３２に通じる接続孔３６が設けられており、該接続孔３６には、オイル溜３７からオイルを汲み上げるオイルポンプ３８が、該オイルポンプ３８からのオイルを油圧室３２に導く状態ならびに油圧室３２の油圧を解放する状態を切換可能な切換弁３９を介して接続され、オイルポンプ３８およびオイル溜３７間には油圧室３２に供給する油圧を一定に保つためのリリーフ弁４０が設けられる。而して前記オイル溜３７、オイルポンプ３８およびリリーフ弁４０は、機関各部への潤滑油給油用のものを兼用してもよく、また電磁駆動装置専用のものとして設けられるものであってもよい。
【００１８】
ところで、閉弁側戻しばね１３はハウジング９１  の端壁１５とアーマチュア１０との間に縮設され、開弁側戻しばね１４は、ピストン３３とアーマチュア１０との間に縮設される。而して両戻しばね１３，１４は、ピストン３３が、油圧室３２への油圧の作用により小径摺動孔１７および大径摺動孔１８間の段部４１に当接した状態に在って両電磁石１１，１２が消磁状態に在るときに、アーマチュア１０を両電磁石１１，１２間の中央部に位置させて機関弁Ｖ１  を図示のような中立位置に保つものである。一方、油圧室３２の油圧が解放されたときには、両電磁石１１，１２の消磁状態で両戻しばね１３，１４のばね力が平衡するようにアーマチュア１０は閉弁用電磁石１１側に移動するものである。このようにアーマチュア１０を閉弁用電磁石１１側に移動させたときには、アーマチュア１０の閉弁用電磁石１１への吸引がより容易となるものであり、たとえば機関の始動時あるいは閉弁用電磁石１１によるアーマチュア１０の吸引に失敗したとき等に油圧室３２の油圧が解放される。
【００１９】
本発明に従えば、電磁駆動装置は、閉弁用電磁石１１および開弁用電磁石１２と、アーマチュア１０との対向面にオイルを導くことを可能としてハウジング９１  内にオイルを導入するオイル供給手段４２１  を備えるものであり、該オイル供給手段４２１  は、オイル溜３７と、該オイル溜３７のオイルを汲み上げるオイルポンプ３８と、切換弁３９と、油圧室３２と、該油圧室３２内のオイルをアーマチュア１０の上面に向けて導くようにしてピストン３３に設けられた絞り通路４３とから成る。
【００２０】
またハウジング９１  の下端部すなわち端壁１５には、ハウジング９１  内に供給されたオイルを排出する排出路４４１  が、ガイド部２０の内面に開口するようにして設けられており、該排出路４４１  から排出されたオイルは、シリンダヘッド３における凹部６内に落下して、機関弁Ｖ１  のステム２およびガイド筒５間の潤滑に用いられる。而して凹部６内に必要以上のオイルが溜まることを回避するために、シリンダヘッド３には凹部６内の下部に溜まったオイルを外部に導出するための導出路４５が設けられる。
【００２１】
さらに閉弁用電磁石１１におけるモールド部２７のアーマチュア１０に対向する面には、複数のオイル溜溝４６…が同心円状にして設けられ、アーマチュア１０の閉弁用電磁石１１に対向する上面には、複数のオイル溜溝４７…が、前記オイル溜溝４６…に合致するようにして同心円状に設けられる。一方、開弁用電磁石１２におけるモールド部３１のアーマチュア１０に対向する面には、複数のオイル溜溝４８…が同心円状にして設けられ、アーマチュア１０の開弁用電磁石１２に対向する下面には、複数のオイル溜溝４９…が前記オイル溜溝４８…に合致するようにして同心円状に設けられる。
【００２２】
次にこの第１実施例の作用について説明すると、ハウジング９１  内にはオイル供給手段４２１  によりオイルが導入され、ハウジング９１  内に導入されたオイルは、アーマチュア１０の上面で受けられるとともにアーマチュア１０から落下したオイルが開弁用電磁石１２で受けられる。すなわち閉弁用および開弁用電磁石１１，１２とアーマチュア１０との対向面間にオイルを介在させることができ、閉弁用電磁石１１の励磁に応じてアーマチュア１０を閉弁用電磁石１１側に吸引したときに閉弁用電磁石１１およびアーマチュア１０間にオイルが挟まれることによるダンパ作用が生じ、アーマチュア１０が閉弁用電磁石１１に直接衝突して異音が生じたり、アーマチュア１０および閉弁用電磁石１１が破損したりすることを防止することができ、同様にして開弁用電磁石１２およびアーマチュア１０間にもオイルが挟まれることにより、アーマチュア１０が開弁用電磁石１２に直接衝突して異音が生じたり、アーマチュア１０および開弁用電磁石１２が破損したりすることを防止することができる。
【００２３】
しかも閉弁用電磁石１１およびアーマチュア１０の対向面には相互に合致する複数のオイル溜溝４６…，４７…が設けられ、開弁用電磁石１２およびアーマチュア１０に対向面には、相互に合致する複数のオイル溜溝４８…，４９…が設けられているので、それらのオイル溜溝４６…，４７…，４８…，４９…にオイルを溜めておくことにより、より効果的なダンパ効果を得ることができる。
【００２４】
またハウジング９１  内に導入されたオイルの一部はミストとなってハウジング９１  内を浮遊し、オイルが排出路４４１  から排出されることと相俟って、各コイル２６，３０をオイルで効果的に冷却することができるとともに、ロッド２１およびガイド部２０間の潤滑に利用されてロッド２１およびガイド部２０の摩耗低減にも寄与することができる。
【００２５】
さらに排出路４４１  から排出されたオイルは、機関弁Ｖ１  のステム２およびガイド筒５間の潤滑にも用いられ、オイルのより有効な利用が可能となる。
【００２６】
図２は本発明の第２実施例を示すものであり、上記第１実施例に対応する部分には同一の参照符号を付す。
【００２７】
アーマチュア１０と、該アーマチュア１０に対して固定位置となることを可能としてハウジング９１  に配設されるピストン３３との間には、機関弁Ｖ１  の閉弁作動時にその閉弁着座直前でダンパ機能を発揮する油圧ダンパ５１１  が設けられる。
【００２８】
この油圧ダンパ５１１  は、アーマチュア１０と一体であるロッド２１の他端に当接可能としてピストン３３に軸方向移動可能に配設されるとともに背面をダンパ室５２に臨ませたプランジャ５３と、ダンパ室５２から油圧室３２側へのオイルの逃がし量を絞るようにしてピストン３３に設けられる絞り５４と、油圧室３２およびダンパ室５２間に介在して油圧室３２からダンパ室５２へのオイルの流通のみを許容するようにしたチェック弁５５とで構成される。
【００２９】
ピストン３３には、ロッド２１の他端部を遊挿させる小径案内孔５６と、小径案内孔５６よりも大径に形成されるとともに段部５８を介して小径案内孔５６に同軸に連なる大径案内孔５７と、大径案内孔５７に同軸に連なる小径の連通孔６０を有する隔壁５９を大径案内孔５７との間に介在させた弁室６１と、油圧室３２を弁室６１に通じさせる給油孔６２とが同軸に設けられる。
【００３０】
プランジャ５３は、隔壁５９との間にダンパ室５２を形成して大径案内孔５７内に遊挿されるものであり、該プランジャ５３および隔壁５９間には、小径案内孔５６および大径案内孔５７間の段部５８にプランジャ５３を当接させる方向のばね力を発揮するばね６３が縮設される。而して閉弁用電磁石１１および開弁用電磁石１２の消磁状態で機関弁Ｖ１  が中立位置にあるときには、段部５８に当接した状態に在るプランジャ５３とロッド２１との間には所定の間隔が生じており、機関弁Ｖ１  の閉弁時に少なくとも閉弁着座直前でロッド２１がプランジャ５３に当接するように前記所定の間隔が設定される。
【００３１】
チェック弁５５は、給油孔６２を開閉可能として弁室６１内に収納される球状の弁体６４と、給油孔６２を閉鎖する側へのばね力を発揮して隔壁５９および弁体６４間に縮設される弁ばね６５とを備え、弁室６１すなわちダンパ室５２の油圧が油圧室３２よりも所定値以上低下したときに開弁して油圧室３２のオイルをダンパ室５２に導く。
【００３２】
またピストン３３には、ダンパ室５２および油圧室３２間を結ぶ戻し油路６６１  が前記チェック弁５５を迂回して設けられており、該戻し油路６６１  の途中に絞り５４が設けられる。
【００３３】
このような油圧ダンパ５１１  によれば、機関弁Ｖ１  の閉弁時にその閉弁着座直前にロッド２１がプランジャ５３に当接し、ダンパ室５２の容積を縮小する方向にプランジャ５３を押圧したときに、ダンパ室５２から油圧室３２へのオイル戻り量が絞り５４で絞られることによりダンパ作用が生じることになる。
【００３４】
また上記プランジャ５３がロッド２１で押されて段部５８から離反したときには、ダンパ室５２のオイルは、プランジャ５３および大径案内孔５７間の間隙、ならびにロッド２１および小径案内孔５６間の間隙を経てアーマチュア１０側に導かれるものであり、オイル供給手段４２１  は、オイルポンプ３８（図１参照）に連なる油圧室３２と、ダンパ室５２と、プランジャ５３および大径案内孔５７間の間隙と、ロッド２１および小径案内孔５６間の間隙とで構成され、油圧ダンパ５１１  がダンパ作用を生じるときのみオイルをアーマチュア１０に供給可能である。
【００３５】
この第２実施例によると、機関弁Ｖ１  の閉弁着座直前で油圧ダンパ５１１  がダンパ機能を発揮するので、アーマチュア１０、ならびに閉弁用および開弁用電磁石１１，１２の破損をより確実に防止することができる。しかもアーマチュア１０と閉弁用および開弁用電磁石１１，１２との間には、油圧ダンパ５１１  の作動時のみオイルが供給されるのでオイルの無駄な消費が防止される。
【００３６】
図３は本発明の第３実施例を示すものであり、上記第２実施例に対応する部分には同一の参照符号を付す。
【００３７】
アーマチュア１０と、該アーマチュア１０に対して固定位置となることを可能としてハウジング９１  に配設されるピストン３３との間に設けられる油圧ダンパ５１１  において、背面をダンパ室５２に臨ませたプランジャ５３は、ピストン３３に設けられている大径案内孔５７内に摺動自在に嵌合され、ピストン３３には、オイル供給手段４２１  の一部を構成する絞り通路４３が設けられる。
【００３８】
この第３実施例によれば、機関運転中にアーマチュア１０に向けてオイル供給手段４２１  からオイルが常時供給されることを除けば、上記第２実施例と同様の効果を奏することができる。
【００３９】
図４は本発明の第４実施例を示すものであり、上記各実施例に対応する部分には同一の参照符号を付す。
【００４０】
ハウジング９１  の端壁１５に設けられたガイド部２０には、機関弁Ｖ１  のステム２に当接するロッド２１を摺動自在に貫通させるスリーブ６８が嵌合、固定される。またシリンダヘッド３の凹部６内で、該凹部６の底部およびリテーナ８間には、ステム２を囲繞するコイル状の閉弁側戻しばね１３が縮設される。さらに開弁側戻しばね１４は、ハウジング９１  内でピストン３３およびアーマチュア１０間に縮設される。
【００４１】
アーマチュア１０と、該アーマチュア１０に対して固定位置となることを可能としてハウジング９１  に配設されるピストン３３との間に設けられる油圧ダンパ５１２  は、アーマチュア１０と一体であるロッド２１の他端に当接可能としてピストン３３に軸方向移動可能に配設されるとともに背面をダンパ室５２に臨ませたプランジャ５３と、ダンパ室５２から油圧室３２側へのオイルの流通絞り量を温度に応じて可変とした可変絞り６９と、油圧室３２およびダンパ室５２間に介在して油圧室３２からダンパ室５２へのオイルの流通のみを許容するようにしたチェック弁５５とで構成される。
【００４２】
可変絞り６９は、ダンパ室５２および油圧室３２間を結んでピストン３３に設けられる戻し油路６６２  の途中の流通面積を温度に応じて変化させるものであり、ワックスが封入されるとともに伸長時に前記戻し油路６６２  の流通面積を減少させるように構成された密閉容器７０がピストン３３に取付けられて成る。
【００４３】
またオイル供給手段４２２  は、油圧ダンパ５１２  がダンパ機能を発揮するときのみオイルをアーマチュア１０に供給すべく、油圧室３２と、ダンパ室５２と、プランジャ５３および大径案内孔５７間の間隙と、ロッド２１および小径案内孔５６間の間隙とで構成される。
【００４４】
さらにハウジング９１  の下端における端壁１５には、ハウジング９１  内のオイルを、シリンダヘッド３の凹部６内に滴下させて機関弁Ｖ１  のステム２およびガイド筒５間の潤滑に用いるための複数の排出路４４２  …が穿設され、アーマチュア１０の中央部付近には、アーマチュア１０上に落下したオイルを下方に滴下させるための複数の透孔７１…が穿設される。
【００４５】
この第４実施例によれば、上記各実施例の効果に加えて、油圧ダンパ５１２  の緩衝特性をオイルの温度に応じて変化させることができる。なお、この第４実施例では、アーマチュア１０、ならびに閉弁用および開弁用電磁石１１，１２の対向面に、オイル溜溝４６〜４９が設けられていないが、より効果的なダンパ効果を得るためには、オイル溜溝４６〜４９を設ければよい。
【００４６】
図５は本発明の第５実施例を示すものであり、機関弁Ｖ２  は、シリンダヘッド３に設けられた弁口４を開閉可能な弁体部１と、該弁体部１に一体に連設されるステム２′とから成り、ステム２′はシリンダヘッド３に固設されたガイド筒５内に摺動自在に嵌合される。
【００４７】
このような機関弁Ｖ２  を開閉駆動する電磁駆動装置は、シリンダヘッド３上に設けられる非磁性材料製のハウジング９２  と、機関弁Ｖ２  に連動、連結されるとともにハウジング９２  内に移動可能に収納されるアーマチュア１０と、該アーマチュア１０を吸引して機関弁Ｖ２  を閉弁作動せしめる電磁力を発揮可能としてアーマチュア１０の上面に対向する位置でハウジング９２  内に固定配置される閉弁用電磁石１１と、前記アーマチュア１０を吸引して機関弁Ｖ１  を開弁作動せしめる電磁力を発揮可能としてアーマチュア１０の下面に対向する位置でハウジング９２  内に固定配置される開弁用電磁石１２と、機関弁Ｖ２  の閉弁方向に向けてアーマチュア１０を付勢する閉弁側戻しばね１３と、機関弁Ｖ２  の開弁方向に向けてアーマチュア１０を付勢する開弁側戻しばね１４とを備える。
【００４８】
ハウジング９２  には、上下に間隔をあけて閉弁用電磁石１１および開弁用電磁石１２を対向配置させる収納室７２が設けられており、機関弁Ｖ２  のステム２′を案内するガイド筒５は、その上端を収納室７２に臨ませるようにしてハウジング９２  内に突入される。而して収納室７２内でステム２′にアーマチュア１０が一体的に設けられる。
【００４９】
ハウジング９２  の上部と、アーマチュア１０との間には、機関弁Ｖ２  の閉弁作動時にその閉弁着座直前でダンパ機能を発揮する油圧ダンパ５１３  が設けられ、該油圧ダンパ５１３  は、アーマチュア１０と一体であるステム２′の上端に当接可能としてハウジング９２  に摺動可能に嵌合されるとともに背面をダンパ室５２′に臨ませたプランジャ５３′と、切換弁３９を介してオイルポンプ３８に接続されるようにしてハウジング９２  に設けられた油室７３へのダンパ室５２′からのオイルの流通絞り量を可変とした可変絞り７４と、油室７３およびダンパ室５２′間に介在して油室７３からダンパ室５２′へのオイルの流通のみを許容するようにしたチェック弁５５′とで構成される。
【００５０】
プランジャ５３′は、閉弁用電磁石１１および開弁用電磁石１２の消磁状態で機関弁Ｖ１  が中立位置にあるときには、ステム２′の上端との間に所定の間隔をあける位置で移動を規制させるようにしてハウジング９２  に摺動自在に嵌合されており、ダンパ室５２′には、プランジャ５３′をステム２′に当接させる方向に付勢するとともにチェック弁５５′を閉弁方向に付勢するばね７５が収納される。
【００５１】
可変絞り７４は、ダンパ室５２′および油室７３間を結んでハウジング９２  に設けられる戻し油路６６３  の途中の流通面積を変化させるものであり、前記戻し油路６６３  の流通面積を無段階に変化させる得る電磁制御弁７５がハウジング９２  に取付けられて成り、該電磁制御弁７５の作動は、油温および機関の運転状態等により制御ユニット７６により制御される。
【００５２】
またオイル供給手段４２３  は、油室７３と、ダンパ室５２′と、プランジャ５３′のステム２′に対向する端部に設けられてダンパ室５２′に通じる絞り孔７７とで構成される。
【００５３】
さらにハウジング９２  の下端には、該ハウジング９２  およびシリンダヘッド３間に形成される排出溝７８に通じる複数の排出路４４３  …が設けられる。
【００５４】
この第５実施例によれば、上記各実施例の効果に加えて、油圧ダンパ５１３  の緩衝特性を機関の運転状態に応じて変化させることができる。
【００５５】
以上、本発明の実施例を詳述したが、本発明は上記実施例に限定されるものではなく、特許請求の範囲に記載された本発明を逸脱することなく種々の設計変更を行なうことが可能である。
【００５６】
【発明の効果】
以上のように、請求項１記載の発明は、閉弁用および開弁用電磁石とアーマチュアとの対向面にオイルを導くことを可能としてハウジング内にオイルを導入するオイル供給手段を含み、ハウジングには、供給されたオイルを排出する排出路が設けられるので、閉弁用および開弁用電磁石へのアーマチュアの吸引時にそれらの電磁石にアーマチュアが直接衝突して衝撃音が発生したり、破損が生じることを防止した上で、各電磁石の冷却および各部の摩耗防止を同時に達成することができる。
【００５７】
また請求項２記載の発明によれば、上記請求項１記載の発明の構成に加えて、閉弁用電磁石およびアーマチュアの対向面、ならびに開弁用電磁石およびアーマチュアの対向面には、相互に合致するオイル溜溝がそれぞれ設けられるので、より効果的な緩衝機能を発揮させることができる。
【００５８】
請求項３記載の発明によれば、上記請求項１または２記載の発明の構成に加えて、アーマチュアと、該アーマチュアに対して固定位置となることを可能としてハウジングに配設される支持体またはハウジングとの間には、機関弁の閉弁作動時に少なくともその閉弁着座直前でダンパ機能を発揮する油圧ダンパが設けられるので、閉弁用および開弁用電磁石へのアーマチュアの吸引時に油圧ダンパに緩衝機能を発揮させることにより、衝撃音および破損の発生をより確実に防止することができる。
【００５９】
さらに請求項４記載の発明によれば、上記請求項１記載の発明の構成に加えて、前記排出路は、シリンダヘッドに設けられるガイド筒と、該我移動筒内に摺動自在に嵌合される機関弁のステムとの間に、オイルを供給し得る位置でハウジングに設けられるので、緩衝用に用いられたオイルを潤滑にも利用することができる。
【図面の簡単な説明】
【図１】第１実施例の縦断面図である。
【図２】第２実施例の縦断面図である。
【図３】第３実施例の縦断面図である。
【図４】第４実施例の縦断面図である。
【図５】第５実施例の縦断面図である。
【符号の説明】
２・・・ステム
３・・・シリンダヘッド
５・・・ガイド筒
９１  ，９２  ・・・ハウジング
１０・・・アーマチュア
１１・・・閉弁用電磁石
１２・・・開弁用電磁石
１３，１４・・・戻しばね
３３・・・支持体としてのピストン
４２１  ，４２２  ，４２３  ・・・オイル供給手段
４４１  ，４４２  ，４４３  ・・・排出路
４６，４７，４８，４９・・・オイル溜溝
５１１  ，５１２  ，５１３  ・・・油圧ダンパ
Ｖ１  ，Ｖ２  ・・・機関弁
【図１】
0003619260.tif 000002
【図２】
0003619260.tif 000003
【図３】
0003619260.tif 000004
【図４】
0003619260.tif 000005
【図５】
0003619260.tif 000006